(57)【要約】【課題】  所定の間隙を有して対向する複数の孔にトグルピンを貫通させる場合であっても、前記複数の孔に容易に貫通させることが可能であると共に、貫通した孔から自然に抜けてしまうことを防止可能なトグルピンを提供する。【解決手段】  Ｘ方向に長い本体部１２と、この本体部１２に枢着され、Ｘ方向に実質的に直交する方向を回動軸として本体部１２に対して回動可能な止め金２０とを有する。本体部１２を、Ｘ方向に実質的に平行な本体部１２の中心線３０を回転軸として回転させた場合における少なくとも一の位置において、本体部１２に対する止め金２０の回動を阻止するテーパ面１８が、本体部１２に形成されている。【選択図】  図２
2006300132.tif 000002
【特許請求の範囲】
【請求項１】
所定の方向に長い本体部と、
前記本体部に枢着され、前記所定の方向に実質的に直交する方向を回動軸として前記本体部に対して回動可能な回動部材とを含み、
前記本体部を、当該本体部の周方向に回転させた場合における少なくとも一の位置において、前記本体部に対する前記回動部材の回動を阻止する係止部が、前記本体部に形成または設けられていることを特徴とするトグルピン。
【請求項２】
前記トグルピンが、４０ｍｍより大きい間隙を有して対向する第１の孔および第２の孔を少なくとも貫通させるものであって、かつ前記回動軸の中心から当該回動軸に対して前記本体部と反対側における前記回動部材の先端部までの最短長さが前記第１の孔と前記第２の孔との間の最短長さよりも大きいことを特徴とする請求項１に記載のトグルピン。
【発明の詳細な説明】
【技術分野】
【０００１】
この発明は、架台、支柱、配管等の被取付物に形成された孔と、前記被取付物に取り付けられる取付物に形成された孔とを合わせて、取付物と被取付物とを固定するトグルピンに関し、より具体的には、所定の間隙を有して対向する複数の孔を貫通させて用いられるトグルピンに関する。
【背景技術】
【０００２】
この種のトグルピンの従来例の斜視図を図７に示す。
【０００３】
このトグルピン１１０は、所定の方向（以下、「Ｘ方向」と称する。）を長手方向とする（即ち、Ｘ方向に長い）円柱状の本体部１１２と、この本体部１１２に枢着される止め金１２０とを含んでいる。
【０００４】
本体部１１２の先端には割り溝１１４が形成されており、止め金１２０は、この割り溝１１４に配置されて、ピン２６によって本体部１１２に枢着されている。
【０００５】
このピン２６は、Ｘ方向に実質的に直交する方向を長手方向としている。即ち、止め金１２０は、Ｘ方向に実質的に直交するピン２６を回動軸として本体部１１２に対して回動自在に構成されている。
【０００６】
ところが、この種のトグルピン１１０は、本体部１１２に対して止め金１２０が自在に回動するので、架台や支柱等の取付物に形成された孔に止め金１２０を合わせて取り付けることが困難であった。
【０００７】
このような課題を解決するために、一端につばを設けた本体部（軸部）の先端に、割り溝を通じて重心の偏倚により回動可能に回動片を枢着し、該軸部にワッシャーと、該ワッシャーとつばとの間にばねを嵌装し、回動片をばねおよびワッシャーにより軸部と一直線、或いは軸部と直角の姿勢を保持してなるトグルピンが開示されている（例えば、特許文献１の段落〔００１１〕〜〔００１６〕および図１〜図３を参照。）。
【０００８】
【特許文献１】実開平６−３１９５７号公報（段落〔００１１〕〜〔００１６〕、図１〜図３）
【発明の開示】
【発明が解決しようとする課題】
【０００９】
しかしながら、特許文献１に記載のトグルピンであっても、所定の間隙を有して対向する複数の孔にトグルピンを貫通させる場合には、前記複数の孔を全て貫通させることは困難であるといった課題がある。更に、複数の孔を貫通したトグルピンを、これらの孔から引き抜くことも困難であるといった課題もある。
【００１０】
これらの課題について、図８を参照しつつ説明する。なお、図８に図示される配管５０は、配管５０の長手方向の断面が図示されている。
【００１１】
トグルピン１１０を、間隙７０を有して配管５０に形成された二つの孔５２，５４に貫通させるとき、図８（ａ）に図示されるように、先ずは第１の孔５２にトグルピン１１０を貫通させる。その後、図８（ｂ）に図示されるように、第２の孔５４にトグルピン１１０を貫通させる。その後、重力の作用により、止め金１２０が本体部１１２に対して回動する（二点鎖線参照）。
【００１２】
所定の間隙７０を有して対向する複数の孔５２，５４にトグルピン１１０を貫通させるとき、第１の孔５２に貫通させた後であってかつ第２の孔５４に貫通させる前に、止め金１２０が本体部１１２に対して回動してしまうことが多々ある。
【００１３】
このとき、本体部１１２と止め金１２０とを再び直線状に戻して、第２の孔５４にトグルピン１１０を貫通させることは困難となる。また、本体部１１２に対して止め金１２０が回動しないようにしつつ、第１の孔５２および第２の孔５４にトグルピン１１０を貫通させることも困難である。
【００１４】
また、二つの孔５２，５４に貫通されたトグルピン１１０を、これらの孔５２，５４から引き抜くとき、本体部１１２と止め金１２０とがＬ字状または逆Ｌ字状となっているため、容易に引き抜くことができない。
【００１５】
なお、本体部１１２に対して止め金１２０が回動するように構成されているのは、複数の孔５２，５４を貫通したトグルピン１１０が、これらの孔５２，５４から人間の意思によらず自然に抜けてしまうことを防止するためである。
【００１６】
そこで、この発明は、所定の間隙を有して対向する複数の孔にトグルピンを貫通させる場合において、前記複数の孔に容易に貫通させることが可能であると共に、貫通した孔から自然に抜けてしまうことを防止することが可能なトグルピンを提供することを主たる目的としている。
【課題を解決するための手段】
【００１７】
この発明において、以下の特徴は単独で、若しくは、適宜組合わされて備えられている。前記課題を解決するためのこの発明に係るトグルピンは、所定の方向に長い本体部と、前記本体部に枢着され、前記所定の方向に実質的に直交する方向を回動軸として前記本体部に対して回動可能な回動部材とを含み、前記本体部を、当該本体部の周方向に回転させた場合における少なくとも一の位置において、前記本体部に対する前記回動部材の回動を阻止する係止部が、前記本体部に形成または設けられていることを特徴とする。
【００１８】
上記構成によれば、このトグルピンは、本体部を、当該本体部の周方向に回転させたとき、回動部材が本体部に対して回動する回転方向位置と本体部に対する回動部材の回動が阻止される回転方向位置とを有する。
【００１９】
この発明に係るトグルピンが、４０ｍｍより大きい間隙を有して対向する第１の孔および第２の孔を少なくとも貫通させるものであって、かつ前記回動軸の中心から当該回動軸に対して前記本体部と反対側における前記回動部材の先端部までの最短長さが前記第１の孔と前記第２の孔との間の最短長さよりも大きいものであっても良い。
【００２０】
上記構成によれば、４０ｍｍより大きい間隔を有して対向する第１の孔および第２の孔にトグルピンを貫通させる場合であっても、回動軸の中心から当該回動部材の先端部までの最短長さが第１の孔と第２の孔との間の最短長さよりも大きいので、回動部材を、第１の孔および第２の孔を同時に貫通させることができる。
【発明の効果】
【００２１】
請求項１に記載の発明によれば、所定の間隙を有して対向する複数の孔にトグルピンを貫通させる場合において、全ての孔に容易に貫通させることが可能であると共に、貫通した孔から自然に抜けてしまうことを防止できる。
【００２２】
請求項２に記載の発明によれば、第１の孔に回動部材を貫通させるとき、本体部と回動部材とを直線状にしなければならないといったことを考慮する必要がない。また、回動部材を、第１の孔に貫通させかつ第２の孔に貫通させる前に、本体部の周方向にトグルピンを回転させるといった手間が発生することもないといった更なる効果を奏する。
【発明を実施するための最良の形態】
【００２３】
図１は、この発明に係るトグルピンの第１実施形態を示す斜視図である。このトグルピン１０は、本体部１２と、この本体部１２に枢着される止め金２０とを含んでおり、従来例と同様に、Ｘ方向を長手方向としている。
【００２４】
なお、本体部１２と止め金２０とを連結するピン２６については、図７および図８に示した従来例と同一の部材なので、同一符号を付している。
【００２５】
Ｘ方向と反対方向側の本体部１２の端部には、本体部１２の周方向（図１中のＡ方向）に本体部１２（即ちトグルピン１０）を容易に回転させることができるように、突起部２８が設けられている。
【００２６】
次に、本体部１２と止め金２０との連結態様について、図２を参照しつつ説明する。図２は、図１に図示されるトグルピン１０の本体部１２と止め金２０との連結態様を示す概略図であって、（ａ）が平面図、（ｂ）が側面図である。
【００２７】
図２（ａ）において、本体部１２のＸ方向側の端部（即ち、止め金２０が枢着された側の端部）１３には、平面視でＵ字状の割り溝１４が形成されている。
【００２８】
図２（ｂ）において、割り溝１４（図２（ａ）参照）のＵ字状の底部（即ち、Ｘ方向と反対方向側の割り溝１４の端面）１５には、Ｘ方向に傾斜するテーパ面１８が形成されている（以下、このテーパ面１８を、「本体部１２側のテーパ面１８」と称する。）。
【００２９】
図２（ａ）および（ｂ）において、止め金２０は、板状部材であって、Ｘ方向と反対方向側の端部２１には、本体部１２側のテーパ面１８に沿ったテーパ面２４が形成されている（以下、このテーパ面２４を、「止め金２０側のテーパ面２４」と称する。）。即ち、止め金２０側のテーパ面２４も、Ｘ方向に傾斜した面であるといえる。
【００３０】
なお、止め金２０側のテーパ面２４は、必ずしも本体部１２側のテーパ面１８に完全に沿っている必要はなく、図２（ｂ）に図示されるように、本体部１２と止め金２０とを直線状に保持できる程度に沿っていれば良い。
【００３１】
本体部１２および止め金２０には、それぞれ、孔１６，２２（図２（ａ）参照）が形成されている。止め金２０は、この端部２１に形成されたテーパ面２４と本体部１２側のテーパ面１８とが対向するように、各孔１６，２２をピン２６が貫通することによって、本体部１２に対して回動自在に枢着されている。即ち、止め金２０は、ピン２６を回動軸（回動の中心）として回動する回動部材として機能する。
【００３２】
このトグルピン１０を、所定の間隙を有して対向する複数の孔に貫通させる場合における作用について、図３を参照しつつ説明する。図３は、第１の配管５０とこれに内挿された第２の配管６０とをこのトグルピン１０によって固定する態様を示す図であって、（ａ）〜（ｃ）にかけて時系列で図示している。これらの配管５０，６０は、例えば、高所で工事を行う場合に組み立てられる足場用の配管である。
【００３３】
トグルピン１０が、第１の配管５０および第２の配管６０それぞれの第１の孔５２，６２（以下、「第１の孔群５２，６２」と称する。）のみを貫通したとき、止め金２０は間隙７０に配置される。このとき、本体部１２側のテーパ面１８が下方から上方にかけてＸ方向に向けて傾斜していれば（図３（ａ）の態様）、本体部１２と止め金２０とが直線状に保持される。即ち、本体部１２側のテーパ面１８が、本体部１２に対する止め金２０の回動を阻止する係止部として機能する。
【００３４】
本体部１２と止め金２０とを直線状に保持しつつ、止め金２０を、第１の配管５０及び第２の配管６０それぞれの第２の孔５４，６４（以下、「第２の孔群５４，６４」と称する。）に貫通させ（図３（ｂ）の態様）、その後、本体部１２（即ち、トグルピン１０）を、本体部１２の周方向（図３（ｂ）中のＡ方向）に約１８０度回転させると、重力の作用により、止め金２０が本体部１２に対してピン２６を回動軸として回動する。これにより、本体部１２と止め金２０とがＴ字状となる（図３（ｃ）参照）。
【００３５】
なお、止め金２０を、第２の孔群５４，６４に貫通させたとき、第１の配管５０と第２の配管６０とが固定された状態となるが、本体部１２と止め金２０とをＴ字状とすることで、第１の孔群５２，６２および第２の孔群５４，６４からのトグルピン１０の抜け防止を図ることができる。
【００３６】
一方、トグルピン１０が、第１の孔群５２，６２のみを貫通した態様（図３（ａ）の態様）において、本体部１２に対して止め金２０が回動して本体部１２と止め金２０とがＴ字状になったとしても、トグルピン１０を、本体部１２の周方向に約１８０度回転させるのみで、容易に本体部１２と止め金２０とを直線状にすることができる。
【００３７】
なお、本体部１２に設けられた突起部２８はストッパーとしての機能を有している。即ち、突起部２８が第１の孔群５２，６２を貫通することができないので、必要以上にトグルピン１０を貫通させてしまうといったことを防止できる。
【００３８】
このように、第２の孔群５４，６４に止め金２０を貫通させたときに本体部１２と止め金２０とをＴ字状とし、更に本体部１２に突起部２８が形成されていることから、第１の配管５０と第２の配管６０との固定が、人間の意志によらず解除されることを防止できる。
【００３９】
この実施形態において、本体部１２と止め金２０とが直線状の状態から、本体部１２に対して止め金２０が回動したとき、本体部１２と止め金２０とがＴ字状となっているが、Ｌ字状となるように構成されていても良い。
【００４０】
また、本体部１２と止め金２０とがＴ字状の態様から直線状の態様となるよう、または直線状の態様からＴ字状の態様となるよう、トグルピン１０を本体部１２の周方向に回転させるとき、必ずしも、トグルピン１０を約１８０度回転させる必要はない。即ち、トグルピン１０を、本体部１２の周方向に約９０度回転させたときから前記態様が変化すると考えられる。
【００４１】
次に、この発明に係るトグルピンの第２実施形態について、図４を参照しつつ説明する。なお、図１〜図３に示したこの発明に係るトグルピンの第１実施形態と同一または相当する部分には同じ符号を付し、以下においては、前記第１実施形態との相違点を主体に説明する。
【００４２】
このトグルピン１０ａは、本体部１２ａに対する止め金２０ａの回動を阻止する態様が第１実施形態と異なる。
【００４３】
このトグルピン１０ａの本体部１２ａに形成された割り溝１４ａ（図４（ａ）参照）には、本体部１２側のテーパ面１８（図１〜図３参照）に代えて受け座１８ａが形成されている。
【００４４】
受け座１８ａは、本体部１２ａの周縁部であってかつ割り溝１４ａ（図４（ａ）参照）のＵ字状の底部１５ａからＸ方向に向けて突出して形成されており、本体部１２ａに対する止め金２０ａの回動を阻止している。
【００４５】
止め金２０ａは、これに形成された孔２２ａ（図４（ａ）参照）および本体部１２ａに形成された孔１６ａを貫通するピン２６（図４（ｂ）参照）によって、本体部１２ａに対して回動自在に枢着されている。
【００４６】
なお、止め金２０ａのＸ方向と反対方向の端部（即ち、本体部１２ａ側の端部）２１ａには、Ｘ方向に実質的に直交する面が形成されている。
【００４７】
止め金２０ａの端部２１ａが受け座１８ａに支持されたとき（即ち、受け座１８ａと止め金２０ａの端部２１ａとが当接したとき）、本体部１２ａと止め金２０ａとが直線状に保持された態様となる。
【００４８】
なお、受け座１８ａのＸ方向の長さは、本体部１２ａに対して止め金２０ａが回動してから受け座１８ａと止め金２０ａの端部２１ａとが当接するまで、この止め金２０ａと干渉しない程度の長さとなっている。即ち、本体部１２ａと止め金２０ａとがＴ字状となっている態様（止め金２０ａが図４（ｂ）の二点鎖線の態様）において、ピン２６の中心からＸ方向と反対方向の止め金２０ａの端部までの距離Ｌ１と受け座１８ａのＸ方向の長さＬ２との和が、ピン２６の中心から割り溝１４ａのＵ字状の底部１５ａまでの距離Ｌよりも小さければ良い。これにより、本体部１２ａと止め金２０ａとが、直線状およびＴ字状のいずれの態様もとることができる。
【００４９】
このトグルピン１０ａについての作用について、図４（ｂ）を参照しつつ説明する。
【００５０】
受け座１８ａが、中心線３０に対して重力が作用する方向（図４（ｂ）中のＹ方向）の側に位置しているとき（図４（ｂ）の態様）、重力の作用により、止め金２０ａが本体部１２ａに対してピン２６を回動軸として回動する。一方、受け座１８ａが、重力が作用する方向と反対側に位置していれば、本体部１２ａに対する止め金２０ａの回動が受け座１８ａによって阻止される。即ち、受け座１８ａが、本体部１２ａに対する止め金２０ａの回動を阻止する係止部として機能する。
【００５１】
従って、第２実施形態に係るトグルピン１０ａを、所定の間隙を有して対向する二つの孔に貫通させる場合における作用は、第１実施形態に係るトグルピン１０と同様となる。  
【００５２】
次に、この発明に係るトグルピンの第３実施形態について、図５を参照しつつ説明する。なお、以下においては、前記各実施形態との相違点を主体に説明する。
【００５３】
このトグルピン１０ｂは、割り溝１４，１４ａ（図２〜図４参照）に代えて切欠部１４ｂ（図５（ａ）参照）が本体部１２ｂに形成されている。即ち、切欠部１４ｂは、平面視がＬ字状または逆Ｌ字状である点において、平面視がＵ字状の割り溝１４，１４ａと異なる。
【００５４】
このトグルピン１０ｂの本体部１２ｂに形成された切欠部１４ｂ（図５（ａ）参照）には、受け座１８ｂが形成されている。
【００５５】
受け座１８ｂは、本体部１２ｂの周縁部であってかつ切欠部１４ｂ（図４（ａ）参照）のＸ方向と反対側の端部１５ｂからＸ方向に向けて突出して形成されており、本体部１２ｂに対する止め金２０ｂの回動を阻止している。
【００５６】
止め金２０ｂは、これに形成された孔２２ｂおよび本体部１２ｂに形成された孔１６ｂ（図５（ａ）参照）を貫通するピン２６（図５（ｂ）参照）によって、本体部１２ｂに対して回動自在に枢着されている。
【００５７】
止め金２０ｂの端部２１ｂが受け座１８ｂに支持されたとき（即ち、受け座１８ｂと止め金２０ｂの先端とが当接したとき）、本体部１２ｂと止め金２０ｂとが直線状に保持された態様となる。
【００５８】
なお、第２実施形態と同様に、受け座１８ｂのＸ方向の長さは、本体部１２ｂに対して止め金２０ｂが回動してから受け座１８ｂと止め金２０ｂの端部２１ｂとが当接するまで、この止め金２０ｂと干渉しない程度の長さとなっている。これにより、本体部１２ｂと止め金２０ｂとが、直線状およびＴ字状のいずれの態様もとることができる。
【００５９】
なお、このトグルピン１０ａについての作用は、第２実施形態に係るトグルピン１０ａと同様である。これにより、受け座１８ｂが、本体部１２ｂに対する止め金２０ｂの回動を阻止する係止部として機能する。
【００６０】
従って、第３実施形態に係るトグルピン１０ｂを、所定の間隙を有して対向する二つの孔に貫通させる場合における作用は、第１実施形態および第２実施形態に係るトグルピン１０，１０ａと同様となる。
【００６１】
なお、このトグルピン１０ｂは、本体部１２ｂに形成された受け座１８ｂに代えて、第１実施形態と同様に、Ｘ方向に傾斜するテーパ面が切欠部１４ｂの端部１５ｂに形成されていても良い。
【００６２】
以上のように、上記各本実施形態のトグルピン１０，１０ａ，１０ｂは、本体部１２，１２ａ，１２ｂと、本体部１２，１２ａ，１２ｂに枢着され、Ｘ方向に実質的に直交する方向に長いピン２６を回動軸として本体部１２，１２ａ，１２ｂに対して回動可能な止め金２０，２０ａ，２０ｂとを有している。本体部１２，１２ａ，１２ｂには、係止部として機能する本体部１２側のテーパ面１８，受け座１８ａ，１８ｂが、それぞれ、形成されている。ここで、トグルピン１０であれば、本体部１２側のテーパ面１８が下方から上方にかけてＸ方向に向けて傾斜しているとき、トグルピン１０ａ，１０ｂであれば、重力が作用する方向と反対側に受け座１８ａ，１８ｂが位置しているとき、本体部１２，１２ａ，１２ｂに対する止め金２０，２０ａ，２０ｂの回動が阻止される。従って、トグルピン１０，１０ａ，１０ｂを、第１の孔群５２，６２に貫通させかつ第２の孔群５４，６４に貫通させる前に、止め金２０，２０ａ，２０ｂが本体部１２，１２ａ，１２ｂに対して回動した場合であっても、トグルピン１０，１０ａ，１０ｂを、本体部１２，１２ａ，１２ｂの周方向に回転させることによって、本体部１２，１２ａ，１２ｂと止め金２０，２０ａ，２０ｂとを容易に略直線状に戻すことができる。また、本体部１２，１２ａ，１２ｂと止め金２０，２０ａ，２０ｂとが略Ｌ字状となっている態様であっても、同様にして、トグルピン１０，１０ａ，１０ｂを、第１の孔群５２，６２および第２の孔群５４，６４から容易に引き抜くことができる。
【００６３】
なお、上記各実施形態において、トグルピン１０であれば本体部１２側のテーパ面１８が、トグルピン１０ａ，１０ｂであれば受け座１８ａ，１８ｂが、それぞれ、係止部として機能しているが、係止部の態様はこれらに限られるものではない。即ち、トグルピン１０，１０ａ，１０ｂを、本体部１２，１２ａ，１２ｂの周方向に回転させた場合における少なくとも回転方向の一の位置において、本体部１２，１２ａ，１２ｂに対する止め金２０，２０ａ，２０ｂの回動を抑制する係止部が、本体部１２，１２ａ，１２ｂ側に形成または設けられていれば良い。換言すれば、中心線３０，３０ａ，３０ｂを回転軸とした本体部１２，１２ａ，１２ｂの回転方向に、本体部１２，１２ａ，１２ｂに対して止め金２０，２０ａ，２０ｂが回動する回転方向位置と、本体部１２，１２ａ，１２ｂに対する止め金２０，２０ａ，２０ｂの回動が抑制される回転方向位置とを有していれば良い。なお、「回転方向位置」とは、中心線３０，３０ａ，３０ｂを回転軸とした本体部１２，１２ａ，１２ｂの回転方向に所定の角度範囲がある場合をも含む。
【００６４】
更に、この発明に係るトグルピンは、従来例の止め金２０および上記各実施形態の止め金２０，２０ａ，２０ｂをより長くした方が好ましい。これについて、第４実施形態として図６（ａ）〜（ｃ）を参照しつつ説明する。なお、以下においては、前記各実施形態との相違点を主体に説明する。
【００６５】
このトグルピン１０ｃは、４０ｍｍより大きい間隙を有して対向する複数の孔に貫通させる場合において、この間隙の長さ、即ち、トグルピン１０ｃを貫通させるべき複数の孔の間の距離が予め決まっている取付物と被取付物との固定用として用いられる場合にとくに効果的なものである。ＪＩＳ規格で定められる最大長さが４０ｍｍだからである。
【００６６】
なお、「４０ｍｍより大きい間隙」とは、第１の孔群５２，６２の内側の面と第２の孔群５４，６４の内側の面との間の最短距離Ｄが４０ｍｍより大きいことを意味する。
【００６７】
このトグルピン１０ｃは、第１実施形態で説明したトグルピン１０の止め金２０に代えて、止め金２０ｃが本体部１２に対して回動可能に枢着されている。
【００６８】
止め金２０ｃは、Ｘ方向を長手方向とする（即ち、Ｘ方向に長い）板状部材である。より具体的には、ピン２６の中心（本体部１２に対する止め金２０ｃの回動中心）から止め金２０ｃのＸ方向側の先端までの最短長さＨが、間隙７０の大きさ、即ち、第１の孔群５２，６２の内側の面と第２の孔群５４，６４の内側の面との間の最短距離Ｄ（Ｄ＞４０ｍｍ）よりも大きい。
【００６９】
また、止め金２０ｃのＸ方向の長さについて、更に好ましくは、５０ｍｍ以下であるが、とくにこの長さに限定されるものではない。
【００７０】
止め金２０ｃのＸ方向の長さを４０ｍｍより大きくすることによって、図６（ａ）に図示されるように、止め金２０ｃを、第１の孔群５２，６２および第２の孔群５４，６４を同時に貫通させることが可能となる。即ち、第２の孔群５４，６４に止め金２０ｃを貫通させたとき、依然として、本体部１２に対する止め金２０ｃの回動の中心（ピン２６の中心）が第１の孔群５２，６２を貫通していない態様（図６（ａ）の態様）が生じ得ることとなる。
【００７１】
従って、止め金２０ｃを、第１の孔群５２，６２に貫通させた後であってかつ第２の孔群５４，６４を貫通させる前に、本体部１２に対して止め金２０ｃが回動することがない。これにより、第１の孔群５２，６２に止め金２０ｃを貫通させるとき、本体部１２と止め金２０ｃとを直線状にしなければならないといったことを考慮する必要がない。更に、止め金２０ｃを、第１の孔群５２，６２に貫通させかつ第２の孔群５４，６４に貫通させる前に、本体部１２の周方向にトグルピン１０ｃを回転させるといった手間が発生することもない。
【００７２】
このように、第１の孔群５２，６２及び第２の孔群５４，６４に貫通させたトグルピン１０ｃを、本体部１２の周方向（図６中のＡ方向）に回転させると、本体部１２と止め金２０ｃとが、直線状の態様（図６（ｂ）の態様）からＬ字状の態様（図６（ｃ）の態様）に変わる。
【００７３】
なお、止め金２０ｃのＸ方向と反対方向の端部２１ｃには、第１実施形態と同様に、本体部１２側のテーパ面１８に沿ったテーパ面２４ｃ（以下、「止め金２０側のテーパ面２４ｃ」と称する。）が形成されている。
【００７４】
これにより、第１実施形態〜第３実施形態と同様に、間隙７０を有して対向する第１の孔群５２，６２および第２の孔群５４，６４に貫通されたトグルピン１０ｃを、これらの孔５２，５４，６２，６４から容易に引き抜くことができる。
【００７５】
ただし、第４実施形態において、本体部１２を第１実施形態と同様の構成とし、かつ止め金２０ｃの一方の端部にテーパ面２４ｃを形成しているが、これに限られない。例えば、本体部１２を第２実施形態の本体部１２ａまたは第３実施形態の本体部１２ｂと同様の構成にしても良い。なお、このとき、止め金２０ｃは、一方の端部が本体部１２ａ，１２ｂに形成された受け座１８ａ，１８ｂに当接するように構成される。
【００７６】
なお、本発明は、上記の好ましい各実施形態に記載されているが、本発明はそれだけに制限されない。本発明の精神と範囲から逸脱することのない様々な実施形態が可能である。例えば、上述の実施形態において、本体部１２には、テーパ面１８または受け座１８ａ，１８ｂが形成されているが、これらに限られない。即ち、本体部１２，１２ａ，１２ｂに対して止め金２０，２０ａ，２０ｂ，２０ｃの回動を阻止することが可能な係止部が本体部１２に形成または設けられていれば良い。
【００７７】
また、上述の実施形態において、本体部１２，１２ａ，１２ｂは、円柱状のものに限られず、角柱状のものであっても良い。さらには、強度的な観点を担保できれば、筒状のものであっても良い。
【００７８】
また、上述の実施形態において、回動部材として機能する止め金２０，２０ａ，２０ｂ，２０ｃは、板状部材に限られず、円柱状または角柱状の部材であっても良い。ただし、貫通させるべき孔に貫通できる程度の大きさでなければならない。更に、強度的な観点を担保できれば、筒状のものであっても良い。
【００７９】
また、上述の実施形態において、トグルピン１０，１０ａ，１０ｂ，１０ｃを、第１の配管５０および第２の配管６０に形成された４個の孔５２，５４，６２，６４を貫通させる場合について説明しているが、孔の数および間隙の数はこれに限られるものではない。更に、第１の孔群における孔の数と第２の孔群における孔の数とが異なっていても良い。  
【００８０】
また、上述の実施形態において、第１の配管５０とこれに内挿された第２の配管６０とをトグルピン１０，１０ａ，１０ｂ，１０ｃを用いて固定する場合について説明したが、これに限られるものではない。即ち、所定の間隙を有して対向する複数の孔にトグルピン１０，１０ａ，１０ｂ，１０ｃを貫通させることによって取付物と被取付物とを固定するものであれば、本発明の目的を達成することができる。
【００８１】
また、上述の実施形態における第１の孔群５２，６２は、孔５２と孔６４とを合わせて一つの孔と考えることもできる。第２の孔群５４，６４についても同様である。このように考えても、トグルピン１０，１０ａ，１０ｂ，１０ｃが、複数の孔を貫通することに変わりはない。
【００８２】
また、上述の実施形態において、割り溝１４，１４ａはＵ字状に形成されているが、これに限られるものではなく、例えばコ字状であっても良い。
【００８３】
なお、この明細書において、「Ｕ字状」、「コ字状」、「Ｔ字状」および「Ｌ字状」は、それぞれ、厳密な意味でのＵ字、コ字、Ｔ字およびＬ字のみでなく、略Ｕ字、略コ字、略Ｔ字および略Ｌ字の意味を含む。また、「本体部と止め金とが直線状に保持される」とは、厳密な意味での直線のみでなく、第１の孔群５２，６４および第２の孔群５４，６４にトグルピン１０，１０ａ，１０ｂ，１０ｃを貫通させることができる程度に略直線であれば良いことを意味する。
【００８４】
また、この明細書において、「トグルピンを、本体部の周方向に回転させる」は、「トグルピンを、Ｘ方向に実質的に直交する本体部の断面の中心を通過しかつＸ方向と実質的に平行な線を回転軸として回転させる」ことを意味する。また、「周方向に回転させる」は「周方向に沿って回転させる」と称することもできる。また、「Ｘ方向に実質的に直交する本体部の断面の中心を通過しかつＸ方向と実質的に平行な線」を、「本体部の中心線」と称することもできる。更に、「本体部の中心」とは、「本体部の重心」を意味する。  
【００８５】
また、この明細書において、「実質的に直交」および「実質的に平行」は、それぞれ、完全に直交および平行する場合をも含む意味である。
【図面の簡単な説明】
【００８６】
【図１】この発明に係るトグルピンの第１実施形態を示す斜視図である。
【図２】図１に図示されるトグルピンの本体部と止め金との連結態様を示す概略図であって、（ａ）が平面図、（ｂ）が側面図である。
【図３】第１の配管５０とこれに内挿された第２の配管６０とを図１に図示されるトグルピンによって固定する態様を示す図であって、（ａ）が第１の孔のみを貫通した図、（ｂ）が第１の孔および第２の孔を貫通しかつ本体部と止め金とが直線状に保持された図、（ｃ）が第１の孔および第２の孔を貫通しかつ本体部に対して止め金が回動して略Ｔ字となった図である。
【図４】この発明の第２実施形態に係るトグルピンを、配管に形成された互いに対向する二つの孔に貫通させる態様を示した図であって、（ａ）が、止め金の先端が第２の孔を貫通した直後の図、（ｂ）が、本体部が第１の孔および第２の孔を貫通しかつ本体部と止め金とが直線状に保持された図、（ｃ）が、本体部が第１の孔および第２の孔を貫通しかつ本体部に対して止め金が回動して略Ｌ字となった図である。
【図５】この発明の第３実施形態に係るトグルピンの本体部と止め金との連結状態を示す概略図であって、（ａ）が平面図、（ｂ）が側面図である。
【図６】この発明の第４実施形態に係るトグルピンの本体部と止め金との連結状態を示す概略図であって、（ａ）が平面図、（ｂ）が側面図である。
【図７】この種のトグルピンの従来例の斜視図である。
【図８】図７に図示されるトグルピンを、配管に形成された互いに対向する二つの孔に貫通させる態様を示した図であって、（ａ）が第１の孔のみを貫通した図、（ｂ）が第１の孔および第２の孔を貫通した図である。
【符号の説明】
【００８７】
１０，１０ａ〜１０ｃ  トグルピン
１２，１２ａ，１２ｂ  本体部
１８  本体部側のテーパ面
１８ａ，１８ｂ  受け座
２０，２０ａ〜２０ｃ  止め金
２６  ピン
５２，６２  第１の孔
５４，６４  第２の孔
７０  間隙
【図１】
2006300132.tif 000003
【図２】
2006300132.tif 000004
【図３】
2006300132.tif 000005
【図４】
2006300132.tif 000006
【図５】
2006300132.tif 000007
【図６】
2006300132.tif 000008
【図７】
2006300132.tif 000009
【図８】
2006300132.tif 000010